(57)【要約】【課題】複数電話回線が接続される電話交換装置が重大障害で、接続されている電話回線を、標準機能を有する基本電話機へ切替える構成で容易な保守運用を可能とする。【解決手段】複数の＃１〜＃８回線が接続されるＬＡＮ交換システム１００の入り口、ＭＤＦ１０１の直前で、ＰＦＴによる障害等の切替指示を受けた際に、＃１〜＃８回線を基本電話機２−１〜２−８に切り替える電話回線切替装置１−１、１−２を備え、電話回線切替装置１−１、１−２は通話電流を検出して各回線の通話状態を通話状態表示板３に表示している。【選択図】図２
2005252747.tif 000002
【特許請求の範囲】
【請求項１】
無停電電源付電話交換装置から電話回線の接続を受ける構内電話交換装置にシステムダウン相当のサービス停止障害を生じた際でも電話回線を確保するシステムにおいて、前記サービス停止障害の通知を受けた際には、前記構内電話交換装置が無停電電源付電話交換装置から接続を受ける電話回線をまとめて、前記構内電話交換装置への接続から標準電話機能を有する基本電話機に切替える電話回線切替装置を備えることを特徴とする構内電話サービス停止障害の際の電話回線切替システム。
【請求項２】
請求項１に記載の構内電話サービス停止障害の際における電話回線切替システムにおいて、前記電話回線切替装置は、更に切替指示通知を外部から受けた際にも前記基本電話機への切替えを実行することを特徴とする構内電話サービス停止障害の際の電話回線切替システム。
【請求項３】
請求項２に記載の構内電話サービス停止障害の際における電話回線切替システムにおいて、複数の前記電話回線切替装置を備え、一つを基幹装置、他を増設装置として前記基幹装置から前記増設装置に前記切替指示通知を送ることを特徴とする構内電話サービス停止障害の際の電話回線切替システム。
【請求項４】
請求項１に記載の構内電話サービス停止障害の際における電話回線切替システムにおいて、前記無停電電源付電話交換装置から接続を受ける電話回線それぞれの使用状況を監視する通話電流検出回路と、その使用状況が通話中の場合に前記切替状態を保持する手段とを備えることを特徴とする構内電話サービス停止障害の際の電話回線切替システム。
【請求項５】
請求項４に記載の構内電話サービス停止障害の際における電話回線切替システムにおいて、前記通話電流検出回路から使用状況の通知を受けて表示する通話状態表示板を更に備えることを特徴とする構内電話サービス停止障害の際の電話回線切替システム。
【請求項６】
請求項１に記載の構内電話サービス停止障害の際における電話回線切替システムにおいて、前記無停電電源付電話交換装置から接続を受ける電話回線はダイヤルイン回線であり、前記無停電電源付電話交換装置に対して前記基本電話機への切替え中の情報を切替制御信号により所定の電話回線を介して送出し、前記基本電話機へ切替えている間、前記ダイヤルイン回線をリングダウン着信回線に切替えさせる手段を備えることを特徴とする構内電話サービス停止障害の際の電話回線切替システム。
【請求項７】
請求項６に記載の構内電話サービス停止障害の際における電話回線切替システムにおいて、切替制御信号を送出する電話回線に着信専用電話機を接続することを特徴とする構内電話サービス停止障害の際の電話回線切替システム。
【発明の詳細な説明】
【技術分野】
【０００１】
本発明は、公衆電話網のように無停電電源付き電話交換装置の電話回線を接続する構内大規模交換システム、例えばＬＡＮを用いたＩＰセントレックスサービスが電源障害を含むシステムダウンとなった際、標準電話機能を有する基本電話機に上記電話回線を切替え接続して外部との通信を容易に確保することができる構内電話サービス停止障害の際の電話回線切替システムに関するものである。
【背景技術】
【０００２】
近年、ＩＰ（インターネットプロトコル）によりＬＡＮ（ローカルエリアネットワーク）を用いて構内電話交換を大規模に行うＩＰセントレックスシステムが普及しつつある。
【０００３】
従来、このようなＩＰ電話サービスが障害停止になった際の電話回線切替システムには、ＬＡＮ電話機が、例えば下記特許文献１に提案されている。この電話機は、ＬＡＮの障害または停電の際に電話回線をＬＡＮ側から公衆電話網に切替えている。
【０００４】
また、下記特許文献２では、停電対応機能付ＬＡＮ電話システムとして、ネットワーク障害または電源供給断の場合には、ＬＡＮに接続中の電話回路を、停電対応電源付きの構内交換機または公衆交換機の通信回線に接続替えしている。
【０００５】
図１を参照して従来のＩＰ電話サービスにおける障害停止の際の電話回線切替システムについて説明する。
【０００６】
図示されるように、ＩＰセントレックスシステムとなるＬＡＮ交換システム１００は、ＬＡＮ電話機２１０と、ＬＡＮ電話アダプタ２２１を介して標準電話機能を有する基本電話機２２０とに接続している。ＬＡＮ交換システム１００は、電源障害の際に、ＰＦＴ（電源障害転送）通知をＬＡＮ電話機２１０とＬＡＮ電話アダプタ２２１とに送る。ＬＡＮ電話機２１０とＬＡＮ電話アダプタ２２１とのそれぞれはＬＡＮ交換システム１００に接続されている電話回路を、無停電電源を備える公衆電話局または構内交換機（ＰＡＢＸ）である無停電電源付電話交換装置３００から接続される電話回線に切替えている。
【０００７】
下記特許文献１，２に含まれるような図１に示されるシステムでは、ＬＡＮ交換システムに内線として収容される電話機および電話機アダプタに対してＰＦＴ通知を行っている。その切替えを委ねられる内線の電話機および電話機アダプタそれぞれは、通常、分散配置されており、かつ切替え先は無停電電源付電話交換装置から接続される外線であるので、電話機側での切替え部分の運用保守が煩雑でかつ困難であることは避けられない。
【０００８】
【特許文献１】特開平１０−２７１２４３号公報
【特許文献２】特開２０００−９２５２７号公報
【発明の開示】
【発明が解決しようとする課題】
【０００９】
解決しようとする課題は、ＬＡＮなどのＩＰネットワークで構成されるＩＰセントレックスシステムなどでシステムダウン相当の障害が発生した際に、ＩＰセントレックス側で接続されている内線電話機の電話回線を無停電電源付電話交換装置の電話回線に接続切替えしているので、通常分散配置される内線電話機は広範囲にわたるため、その保守運用を簡単にすることができないことである。
【課題を解決するための手段】
【００１０】
本発明は、ＩＰセントレックスシステムなどの構内電話交換装置にシステムダウン相当の障害が発生した際に、無停電電源付電話交換装置に切替え接続される電話回線を纏めて保守運用するため、電話回線を前記構内電話交換装置への接続から標準電話機能を有する基本電話機に切替え接続する電話回線切替装置を、構内電話交換装置にあって電話回線を収容接続する位置、すなわち、無停電電源付電話交換装置側に備えることを主要な特徴とする。
【００１１】
この構成に示されるように本発明による電話回線切替装置は内部に電話回線の切替え手段を纏めているので、保守運用が容易である。
【００１２】
また、電話回線切替装置は、更に切替指示通知を外部から受けた際にも前記基本電話機への切替えを実行するので、複数の前記電話回線切替装置を備え、一つを基幹装置、他を増設装置として前記基幹装置から前記増設装置へ前記切替指示通知を送ることができる。従って、セントレックスシステムのような構内電話交換装置における少なくとも一つのＴＲＫ−ＧＷ（トランキングゲートウェイ）と複数の電話回線切替装置とによる組合せが可能であり、切替えシステムの多様性を取得することができる。
【００１３】
また、無停電電源付電話交換装置から接続を受ける電話回線それぞれの使用状態を監視してその切替状況を保持することが、特に通話中の回線の保持を可能とするので、望ましい。更に、使用状態を外部に表示することが保守者の手動による各種制御も可能にできるので好ましい。
【００１４】
無停電電源付電話交換装置である公衆電話交換局から構内電話交換装置へダイヤルイン回線の接続を受けている場合、少なくとも一つの電話回線切替装置が、予め定められた切替制御回線を用いて電話回線の切替えを公衆電話交換局へ通知し、該当する電話回線をリングダウン着信回線へ切替えさせることができる。
【発明の効果】
【００１５】
本発明の構内電話サービスが停止するような重大障害発生の際の電話回線切替システムでは、電話回線切替装置が、切替え対象として纏められた複数回線に対し設けられ、かつ無停電電源付電話交換装置から電話回線の接続を受ける構内電話交換装置の主配線盤またはトランキングゲートウェイの直前などに備えられるため、一括して回線切替えすることができるので、容易に保守点検できるという効果がある。
【発明を実施するための最良の形態】
【００１６】
構内電話交換装置にシステムダウン相当の障害が発生した際に、無停電電源付電話交換装置に接続される電話回線を纏めて切替えることにより容易に保守運用するという目的を、無停電電源付電話交換装置から電話回線の接続を受ける構内電話交換装置の主配線盤またはトランキングゲートウェイの直前に本発明による電話回線切替装置を備えることにより、従来のシステム構成を損なわずに実現した。
【実施例１】
【００１７】
本発明の実施例１について図２および図３を併せ参照して説明する。
【００１８】
図２は、本発明による全体システムの実施の一形態を示す図であって、特に構内電話交換装置がＬＡＮ交換システム１００としてＩＰセントレックスシステムにより示されており、無停電電源付電話交換装置が公衆電話網における公衆電話局である一例が示されている。図３は、図２における発明の主要部分のうち、ＰＦＴ（電源障害転送）起動に対する一形態を示す説明図である。
【００１９】
構内交換装置のＬＡＮ交換システム１００に公衆電話網の公衆電話局２０１から接続される電話回線は局線とも呼ばれ、一般の加入者回線で「Ｌ１−Ｌ２」構成の２線通話路を有する電話回線により、公衆電話局２０１から直流電源が供給されている。また、この局線は、ＬＡＮ交換システム１００において外線と呼ばれ、ＬＡＮ交換システム１００で内線電話機を内線番号により直接呼出しするダイヤルイン回線である。
【００２０】
ＬＡＮ交換システム１００は、高度の電話機能を発揮するＩＰ電話用の信号制御方式ＳＩＰ（セッション初期化プロトコル）に基づき、ＭＤＦ１０１、ＴＲＫ−ＧＷ１０２、ＬＡＮ１０３、ＮＡＴ１０４、ＳＩＰサーバ１０５、およびＳＩＰ電話機１０６を含むものである。
【００２１】
ＭＤＦ１０１は、公衆電話局２０１から接続される電話回線を収容し内部への接続点となる主配線盤である。ＴＲＫ−ＧＷ１０２は、ＬＡＮ交換システム１００で外部に接続する電話回線のトランキングゲートウェイで、公衆電話局２０１からのダイヤルイン回線を収容してＬＡＮ１０３に接続する。ＬＡＮ１０３は、ＳＩＰサーバ１０５の制御を受けて、ＴＲＫ−ＧＷ１０２、ＮＡＴ１０４、およびＳＩＰ電話機１０６と接続して相互間のデータを伝送するローカルエリアネットワークである。ＮＡＴ１０４は、ＳＩＰサーバ１０５と接続してＬＡＮ１０３上のデータ転送のためにネットワークに対するアドレス変換を行うネットワークアドレストランスレータである。ＳＩＰサーバ１０５はＳＩＰによりＬＡＮ１０３上のデータ転送を制御して高度な電話機能を実現する。ＳＩＰ電話機１０６は、ＳＩＰサーバ１０５の制御を受けて電話機能を有する電話端末であり、内線電話機に相当する。
【００２２】
図示されるＩＰセントレックスシステムでは電源断のようなシステムダウン障害の際には、ＴＲＫ−ＧＷ１０２からＰＦＴ（電源障害転送）情報を送出する。ＰＦＴ情報はダイヤルイン回線のうちから所定の一回線を取り出し、公衆電話局２０１の通話用電源の接続を検出することにより取得している。ここでは＃１回線が取り出されるものとする。
【００２３】
本発明では、目的を達成するために、電話回線切替装置１−１，１−２、基本電話機２−１〜２−８、および通話状態表示板３が設けられている。電話回線切替装置１−１，１−２は後に詳細を説明する。基本電話機２−１〜２−８それぞれは、公衆電話局２０１と「Ｌ１−Ｌ２」構成による２線通話路を有する電話回線を接続し、標準電話回路を有するものである。従って、本実施例では、切替えにより公衆電話局２０１と直結する基本電話機２−１〜２−８は呼出信号を直接受けるリングダウン着信回線に接続することとなる。
【００２４】
電話回線切替装置１−１，１−２は、一方では接続する公衆電話局２０１からＴＲＫ−ＧＷ１０２への＃１〜＃４回線、＃５〜＃８回線それぞれのダイヤルイン回線、合計８回線を、また切替スイッチを介して他方では、ＭＤＦ１０１を介してＴＲＫ−ＧＷ１０２に接続している。
【００２５】
電話回線切替装置１−１は、基幹装置としてＬＡＮ交換システム１００のＴＲＫ−ＧＷ１０２からＰＦＴ起動を切替信号検出部に接続し公衆電話局２０１からの＃１回線を、後に詳述するが、本実施例として切替スイッチの切替なしでＴＲＫ−ＧＷ１０２を介して基本電話機２−１に接続すると共に、＃２〜＃４回線を基本電話機２−２〜２−４それぞれに切替スイッチにより切替え接続する。また、電話回線切替装置１−１は切替情報を切替指示起動として増設装置の電話回線切替装置１−２へ送る。
【００２６】
電話回線切替装置１−２は切替指示起動から切替信号を検出して公衆電話局２０１からの＃５〜＃８回線を基本電話機２−５〜２−８それぞれに切替え接続する。更に、電話回線切替装置１−１は、公衆電話局２０１へ予め定められた電話回線、例えば＃０回線を切替制御回線として用いて電話回線の切替中を通知し、公衆電話局２０１からＬＡＮ交換システム１００へのダイヤルイン回線を基本電話機２−１〜２−８へのリングダウン着信回線に切替えさせる。切替制御回線は通常、例えば着信専用電話機または交換台へ接続され用いられている。
【００２７】
電話回線切替装置１−１，１−２は、公衆電話局２０１からの＃１〜＃８回線それぞれの通話電流を監視しており、その電流状態を通話状態表示板３に表示する一方、基本電話機２−１〜２−８からＴＲＫ−ＧＷ１０２への回線切替えの際に回線が通話中の場合にはその回線の接続状態を通話終了まで保持している。
【００２８】
上述したように、構内電話交換装置のＬＡＮ交換システムが電源障害でシステムダウンした場合に公衆電話交換網から接続される電話回線に基本電話機を切替え接続する電話回線切替装置がＬＡＮ交換システムのＭＤＦ近辺に備えられるので、切替え設備の保守運用の実行を容易にすることができる。
【００２９】
上記説明では、構内電話交換装置としてＬＡＮ交換システムまたはＩＰセントレックスシステムを示したが、他のスイッチングシステムでも良い。また、増設の電話回線切替装置が複数あっても基幹装置とは上記増設装置と同様に接続することにより切替え機能を発揮できる。また、一つの構内電話交換装置で複数のＴＲＫ−ＧＷそれぞれに対応して同一の接続構成を採用することは、ＴＲＫ−ＧＷ単位での回線切替えによる障害対策が可能となる。更に、一つの電話回線切替装置として４回線ずつ収容するとして図示し説明されているが、この収容回線数は限定されるものではない。
【００３０】
また、後に他の実施例として説明するが、基幹装置および増設装置の何れの電話回線切替装置も同一回路構成が可能である。また、切替えはＰＦＴ以外のシステムダウン相当の重大障害にも適用できる。
【実施例２】
【００３１】
本発明の実施例２について図４に図２および図３を併せ参照して説明する。
【００３２】
図４に示される実施例２は、図２および図３に示される電話回線切替装置１−１，１−２の機能ブロックを同一回路構成で示したものである。
【００３３】
図示される電話回線切替装置は、通話電流検出回路１１、回線切替回路１２、電源検出部（ＣＤ）１３、切替信号検出部１４、切替信号出力部１５、および切替指示部（ＴＩ）１６を備える。
【００３４】
通話電流検出回路１１は収容する各電話回線に挿入される回路Ｃ１〜Ｃ４を備える。回線切替回路１２は、公衆電話局２０１からＴＲＫ−ＧＷ１０２へ接続される＃１〜＃４回線それぞれを切替えて、対応する切替え先の基本電話機２−１〜２−４それぞれに接続する。公衆電話局２０１から接続される＃０回線は、切替制御回線として予め設定されているものとし、公衆電話局２０１へダイヤルインに指定している電話回線をリングダウン着信回線に切り替える指示をする。通常は、構内電話交換機の着信専用電話機２−０または受付けコンソールに接続している。また、スイッチＳにより切替制御回線を＃０回線とは別の回線、例えば図示されるように＃４回線を予備として切り替えて設定することもできる。
【００３５】
電源検出部１３はメークブレーク接点ｃｄを、また切替指示部１６はメークブレーク接点ｔｉをそれぞれ有するものとする。ここで図示して説明するメークブレーク接点ｃｄ，ｔｉは、電源検出部１３および切替指示部１６の動作により回路を閉成（メーク）または開放（ブレーク）するものであり、その回路構成はリレーでもまた論理回路でも良い。切替信号検出部１４はリレーＲ１〜Ｒ５を備える。リレーＲ１〜Ｒ４はメークブレーク接点ｒ１〜ｒ４それぞれを有する。リレーＲ５は二つのメーク接点ｒ５−１，ｒ５−２を有する。
【００３６】
回路Ｃ１〜Ｃ４は、公衆電話局２０１から接続される＃１〜＃４回線それぞれに挿入され、通話電流を検出する。回路Ｃ１〜Ｃ４は、それぞれが通話電流を検出している間、通話状態表示板３に検出状態を通知し、かつ切替信号検出部１４に有するリレーＲ１〜Ｒ４それぞれの動作状態を保持する。
【００３７】
回線切替回路１２はメークブレーク接点ｒ１〜ｒ４を＃１〜＃４回線それぞれに挿入している。すなわち、例えば＃１回線では、公衆電話局２０１からの＃１回線を、メークブレーク接点ｒ１のブレーク側でＴＲＫ−ＧＷ１０２へ、かつメーク側で基本電話機２−１へそれぞれ接続して、リレーＲ１の動作により切替えている。＃２、＃３、および＃４回線も同様である。ただし、＃１回線の場合、メークブレーク接点ｒ１のメーク接点側には、基本電話機２−１との間にＴＩ１６の動作で回路を閉じるメーク接点ｔｉが挿入される。
【００３８】
電源検出部１３は、切替信号検出部１４にブレーク接点ｃｄを有し、基幹装置となってＰＦＴ起動される際には、図３に示されるようにＴＲＫ−ＧＷ１０２を介した＃１回線を引き込み、ブレーク接点ｔｉを介して基本電話機２−１まで２線の通信路を接続すると共に、公衆電話局２０１からの＃１回線の供給電源を検出している間、ブレーク接点ｃｄを動作させる。一方、電源検出部１３は増設装置として切替指示起動される際には駆動されないので、ブレーク接点ｃｄが切替信号検出部１４のリレーＲ１を他のリレーＲ２〜Ｒ５と同一条件におく。
【００３９】
切替信号検出部１４はＰＦＴ起動または切替指示起動の受付けにより起動されて切替指示を検出し、リレーＲ１〜Ｒ５を駆動するが、リレーＲ１は、ＰＦＴ起動を受付けて動作するブレーク接点ｃｄにより駆動回路を切断される。リレーＲ１〜Ｒ４は、通話電流検出回路１１の回路Ｃ１〜Ｃ４から制御を受け、回路Ｃ１〜Ｃ４それぞれが動作中、すなわち通話中の場合は、その間に切替え原因が復旧してもその通話状態を保持する。しかしながら、通話中以外の電話回線は復旧するので、切替え原因が復旧した際にリレーＲ５は復旧して切替制御信号の送出を停止し、リングダウン着信をダイヤルインに戻している。
【００４０】
切替信号出力部１５は、メーク接点ｒ５−２を有し、リレーＲ５が動作している間、グラウンド電位を送出して、公衆電話局２０１からの回線が基本電話機側に接続中であることを外部に通知する。切替指示部１６は、外部から切替指示起動を受けて動作し、切替信号検出部１４に通知してリレーＲ１〜Ｒ５を動作させている。
【００４１】
切替制御回線の＃０回線には、着信専用電話機２−０が接続されている。メーク接点ｒ５−１は、抵抗器を介したグラウンド電位を、切替接点Ｓを介して切替制御回線＃０へ送出する。すなわち、リレーＲ５の動作中を公衆電話局２０１に通知して、＃１〜＃４回線をダイヤルイン回線からリングダウン着信回線に切替えさせている。スイッチＳをメーク側に動作させた際には、グラウンド電位が＃４回線に送出される。すなわち、スイッチＳにより、切替制御回線を＃０回線または＃４回線に切替えることができる。
【００４２】
この回路構成は図２および図３において基幹装置として使用されるが、増設装置として用いる場合は、上記図３を参照して説明したように、＃１〜＃４回線は＃５〜＃８回線のそれぞれに変更される。ＰＦＴ起動は「接続無し」とし、基幹装置の切替信号出力部１５の出力を切替指示起動として切替指示部１６に接続する。また公衆電話局２０１との切替制御回線が不要なので、着信専用電話機２−０と抵抗器を介したグラウンド電位の送出回路との設備は除いてもよい。
【００４３】
ここでは説明の理解を助けるため、回路の閉成と開放とをメーク接点とブレーク接点とで図示して構成要素の機能を説明したが、論理回路等、他の回路構成でもよいのは明らかである。
【実施例３】
【００４４】
次に、ＰＦＴ起動の際の機能動作について、図３、図４、および図５を併せ参照してＰＦＴ起動の際の機能動作について実施例３として説明する。
【００４５】
まず、ＬＡＮ交換システムのＴＲＫ−ＧＷ１０２で電源障害によるＰＦＴ起動が生じた場合、図３に示されるように、＃１回線における公衆電話局２０１からの供給電源を基幹装置の電話回線切替装置１−１のＰＦＴ起動に接続する。
【００４６】
電話回線切替装置１−１では、ＰＦＴ起動による公衆電話局２０１からの供給電源を電源検出部１３およびブレーク接点ｔｉを介して基本電話機２−１まで形成される回路により、電源検出部１３が電源を検出してＰＦＴ起動を受付け（手順Ｓ１）する一方、ブレーク接点ｃｄが切替信号検出部１４でリレーＲ１の駆動回路を切離し（手順Ｓ２）する。
【００４７】
ＰＦＴ起動は切替信号検出部１４でも直接検出され、リレーＲ１〜Ｒ５を駆動しようとするが、リレーＲ１は駆動回路をブレーク接点ｃｄにより切断されるので、リレーＲ２〜Ｒ５のみが動作（手順Ｓ３）する。従って、回線切替回路１２では、メークブレーク接点ｒ２〜ｒ４のみが動作するので、＃１回線を除く＃２〜＃４回線が基本電話機２−２〜２−４それぞれに切替え接続（手順Ｓ４）される。
【００４８】
一方、リレーＲ５のメーク接点ｒ５−１が同時に動作するので、抵抗器および切替スイッチＳのブレーク接点から切替制御回線に設定した＃０回線を介して公衆電話局２０１へグラウンド電位を切替制御信号として送出（手順Ｓ５）する。また、同時に、切替信号出力部１５のメーク接点ｒ５−２が閉じるので、グラウンド電位を切替指示起動として増設装置の電話回線切替装置１−２へ送出（手順Ｓ６）する。上記手順Ｓ３、Ｓ４、および手順Ｓ５は、図面では順序付けられているが、同時動作である。
【００４９】
電話回線切替装置１−２では、基幹装置から切替指示起動を切替指示部１６が受付け（手順Ｓ７）し、切替信号検出部１４へ切替信号を通知する。切替指示起動を受付けした切替指示部１６は、受付け動作によりメーク接点ｔｉを閉じるので電源検出部１３を無関係にし、基本電話機２−１を他の基本電話機２−２〜２−４と同様に回線切替回路１２に接続（手順Ｓ８）する。
【００５０】
切替信号検出部１４は、ブレーク接点ｃｄが動作しないので、切替指示部１６からの切替信号を検出した際にリレーＲ１〜Ｒ５を動作（手順Ｓ９）させ、回線切替回路１２でメークブレーク接点ｒ１〜ｒ４により＃５〜＃８回線のそれぞれを基本電話機２−１〜２−４それぞれに切替え接続（手順Ｓ１０）して、切替えの手順を終了する。
【００５１】
この接続状態で基本電話機に着信があり通話中の間、ＰＦＴ起動または切替指示起動の条件が消去された際には、通話電流検出回路の回路Ｃ１〜Ｃ４で通話中を検出しているので、切替え信号検出部のリレーＲｘの動作は保持されており、切替え状態はそのまま維持される。
【実施例４】
【００５２】
本発明の実施例４について図２および図６を併せ参照して説明する。
【００５３】
実施例４は、構内電話交換装置を形成するシステムが、サーバ、スイッチなどのサーバ機器ネットワークのハードウェアにおける障害、またはネットワーク経由で監視および制御するＳＮＭＰプロトコル、またはネットワークを診断するＰＩＮＧコマンド等のソフトウェアにおける障害などを監視してシステムダウン相当の重大障害を検出した際に必要な電話回線の切替えについてである。
【００５４】
図２は、本発明による全体システムの実施の一形態を示す図であって、実施例１において説明済みである。図６は、図２における発明の主要部分のうち、ＬＡＮ交換システム１００を含む構内電話交換装置の電源以外の重大障害により、公衆電話局２０１からの回線を一斉に基本電話機に自動的に切替接続する切替指示起動に対する一形態を示す説明図である。
【００５５】
図６が実施例１の図３との相違は、公衆電話局２０１からの＃１回線が、切替指示起動により他の回線同様に基本電話機へ切り替わることである。他の動作機能に変更はない。
【００５６】
ここで用いられる電話回路切替装置は、上記図４を参照し実施例２として説明したものと同一である。
【００５７】
次に、図４、図６、および図７を併せ参照して切替指示起動の際の機能動作について説明する。
【００５８】
上記実施例３との相違はフローチャートの最初の四手順のみである。
【００５９】
すなわち、基幹装置の電話回路切替装置１−１では、切替指示部１６が、検出可能な、例えば上記実施例２と同様なグラウンド電位で切替指示起動をＬＡＮ交換システム１００から受付け（手順Ｓ１１）した際に、自己の動作に基づくメーク接点ｔｉの閉成動作により基本電話機２−１を回線切替回路１２へ他の基本電話機２−２〜２−４と同様に接続（手順Ｓ１２）し、かつ、切替信号検出部１４を起動する。
【００６０】
切替信号検出部１４は、ブレーク接点ｃｄが不動作なのでリレーＲ１〜Ｒ５のすべてを動作（手順Ｓ１３）させる。従って、回線切替回路１２のメークブレーク接点ｒ１〜ｒ４が動作して、公衆電話局２０１から接続される＃１〜＃４回線のすべてが基本電話機２−１〜２−４それぞれに切替え接続（手順Ｓ１４）される。
【００６１】
これに続く手順は上記実施例２と同一なので手順Ｓ１５から手順Ｓ２０までは上記図５における説明で手順Ｓ５から手順Ｓ１０を読み替えればよく、その説明は省略する。
【産業上の利用可能性】
【００６２】
加入者用の複数電話回線を引き込む構内電話交換装置でシステムダウンに相当する重大障害が生じた際に、引き込む電話回線をまとめて、標準電話機能を有する基本電話機に切替え接続する電話回線切替装置を備えることによって、これら電話回線を生かすことができるので、公衆電話交換装置または構内電話交換装置を含む無停電電源を有する電話交換装置と接続されるボタン電話装置などのような小規模の電話交換装置にも適用できる。切替え接続は、障害に限らず、保守運用のために、切替指示が利用されてもよい。
【図面の簡単な説明】
【００６３】
【図１】構内電話サービスが停止するような障害の際の電話回線切替システムにおけるブロックの従来例を示した説明図である。
【図２】構内電話サービスで本発明による電話回線切替システムにおける全体構成の実施の一形態を示した説明図である。（実施例１）
【図３】図２の電話回線切替装置における基本構成機能の実施の一形態を示した説明図である。（実施例２）
【図４】本発明の電話回線切替装置における機能ブロックの実施の一形態を示した説明図である。（実施例２、実施例３）
【図５】図３の電話回線切替装置における主要動作手順の実施の一形態を示したフローチャートである。（実施例２）
【図６】図２の電話回線切替装置における基本構成機能の実施の一形態を示した説明図である。（実施例３）
【図７】図６の電話回線切替装置における主要動作手順の実施の一形態を示したフローチャートである。（実施例３）
【符号の説明】
【００６４】
１−１、１−２    電話回線切替装置
２−０    着信専用電話機
２−１〜２−８    基本電話機
３    通話状態表示板
１１    通話電流検出回路
１２    回線切替回路
１３    電源検出部
１４    切替信号検出部
１５    切替信号出力部
１６    切替指示部
１００    ＬＡＮ交換システム
１０１    ＭＤＦ（主配線盤）
１０２    ＴＲＫ−ＧＷ（トランキングゲートウェイ）
２０１    公衆電話局
【図１】
2005252747.tif 000003
【図２】
2005252747.tif 000004
【図３】
2005252747.tif 000005
【図４】
2005252747.tif 000006
【図５】
2005252747.tif 000007
【図６】
2005252747.tif 000008
【図７】
2005252747.tif 000009